【事件の表示】
　特願２０１６−１３６４４３「カードシステム」拒絶査定不服審判事件〔平成２８年１２月　８日出願公開、特開２０１６−２０７２２２、請求項の数（４）〕について、次のとおり審決する。
【結　論】
　原査定を取り消す。
　本願の発明は、特許すべきものとする。
【理　由】
第１　手続の経緯
　本願は，平成２７年１月９日に出願した特願２０１５−３６３９号の一部を平成２８年７月８日に新たな特許出願としたものであって，平成３０年１０月１日付けで拒絶の理由が通知され，同年１２月６日に意見書とともに手続補正書が提出され，同年１２月２５日付けで拒絶査定（謄本送達日平成３１年１月８日）がなされ，これに対して平成３１年４月４日に拒絶査定不服審判の請求がなされるとともに手続補正がなされ，令和１年５月１０日付けで審査官により特許法１６４条３項の規定に基づく報告がなされたものである。
第２　原査定の概要
　原査定（平成３０年１２月２５日付け拒絶査定）の概要は次のとおりである。
（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法２９条２項の規定により特許を受けることができない。
　　　　　記　　　（引用文献等については引用文献等一覧参照）
・請求項２
・引用文献１−３
・請求項３
・引用文献１−２、４
・請求項４
・引用文献１−４
＜拒絶の理由を発見しない請求項＞
　平成３０年１２月６日付け手続補正書による補正後の請求項（１）に係る発明については、現時点では、拒絶の理由を発見しない。
　　　　　　　　　　　　　＜引用文献等一覧＞
１.特開平１０−３５２４号公報
２.特開平５−１１６４９０号公報
３.特開平９−８１７１１号公報
４.特開２００７−７９７９２号公報
第３　審判請求時の補正について
１　補正事項
　審判請求時の補正（以下，「本件補正」という。）は，次の補正事項１乃至３を含むものである。
（１）補正事項１
　本件補正前の請求項２の「前記情報担持部における各単位領域は、透明な領域と、黒色の領域と、黒色よりも透過率の低い他の色の領域から成るものであり」との特定事項を，本件補正後に「前記情報担持部における各単位領域は、透明な領域と、黒色の領域と、透明よりも透過率が低く黒色よりも透過率が高い他の色の領域から成るものであり」とする補正。
（２）補正事項２
　本件補正前の請求項２の「前記出力制御部は、各フォトセンサの受光素子からの信号についてオン信号とするかオフ信号とするかの閾値を変更することができるものである」との特定事項を，本件補正後に「前記出力制御部は、各フォトセンサの受光素子からの信号についてオン信号とするかオフ信号とするかの閾値を変更することで異なる識別情報を取得できるようにするものである」とする補正。
（３）補正事項３
　本件補正前の請求項３の「第一の群のフォトセンサは、一方又は他方の辺の外側の列の情報担持部を読み取るものであって、第二の群のフォトセンサは、一方又は他方の辺の内側の列の情報担持部を読み取るものである」との特定事項を，本件補正後に「第一の群のフォトセンサは、一方の辺の外側の列の情報担持部を読み取るものであって、第二の群のフォトセンサは、他方の辺の内側の列の情報担持部を読み取るものである」とする補正。
２　各補正事項についての判断
（１）補正事項１について
　願書に最初に添付した明細書，特許請求の範囲又は図面（以下，「当初明細書等」という。）には，次の記載が認められる。（下線は当審で付加。以下同様。）
「【００７４】
　この場合、
透明領域が発光素子と受光素子との間に介在した場合、検出電流はほぼ１００％であるが、黒色領域や白色領域が間に介在した場合、遮光されるので、５０％未満の検出電流となる
　この場合、図１４に示すように、受光素子からの出力に対する閾値としては、標準設定と微弱設定の二つが選択的に設定されるようになっている。微弱設定は、白色領域の場合の検出電流と黒色領域の場合の検出電流（ほぼゼロ）の丁度中間の値の設定となっている。この実施形態でも、第一の実施形態と同様に出力制御部３４を備えており、上記
二つの閾値の設定は、出力制御部３４に設けられた受信回路３４２で行われる
【００７５】
　
受信回路３４２での設定の仕方により、情報担持部が同じパターンのものであっても異なる情報として扱うことができる
　
図１５には、三つの設定例が示されている。設定例Ａは、各フォトセンサをすべて標準設定とした例であり、設定例Ｂは各フォトセンサを全て微弱設定とした例であり、設定例Ｃは、標準設定と微弱設定を混合させた例である
【００７６】
　図１３及び図１５に示すように、一例として、情報担持部２２ａ〜２２ｄは、読み取りセンサ３２で読み取られる状態では、上から順に、透明領域、黒色領域、白色領域、透明領域、白色領域とする。この場合、
図１５に示すように、設定例Ａの場合、“１”、“０”、“０”、“１”、“０”という読み取り結果となる。“１”はセンサオン、“０”はセンサオフということである。また、設定例Ｂの場合、“１”、“０”、“１”、“１”、“１”となり、設定例Ｃの場合、“１”、“０”、“１”、“１”、“０”となる。このように、各フォトセンサについて異なる二つの閾値が設定できるようにしておくことで、結果的に情報担持部２２ａ〜２２ｄが担持し得る情報の量が多くなる
　尚、
青、赤、黄色等の色で印刷した場合にも、透明領域の場合と同程度の検出電流が得られることが判っており、透明領域の代わりに用いられることもある
「
図１３」
「
図１５」
　以上の記載から，当初明細書等には，「透明領域」や「黒色領域」のほか，「白色領域」や「青、赤、黄色等の色」についての記載が認められ，これらは明らかに「前記情報担持部における各単位領域」が，「透明な領域と、黒色の領域と、透明よりも透過率が低く黒色よりも透過率が高い他の色の領域から成る」ものを示しているといえるから，補正事項１は，当初明細書等に新たな技術的事項を加えるものではない。
　また，本件補正前に「情報担持部における各単位領域は、…（中略）…黒色よりも透過率の低い他の色の領域から成る」とされていた事項は，誤記であることは自明であって，補正事項１は，誤記の訂正を目的としたものであるといえる。
（２）補正事項２について
　当初明細書等には，上記（１）の記載が認められ，そのうち，「設定例Ａ」ないし「設定例Ｃ」によって，読み取られる情報が異なる態様を読み取ることができるから，これらは「各フォトセンサの受光素子からの信号についてオン信号とするかオフ信号とするかの閾値を変更することで異なる識別情報を取得できるようにするもの」を表していて，当初明細書等に新たな技術的事項を加えるものではない。
　また，本件補正前に「各フォトセンサの受光素子からの信号についてオン信号とするかオフ信号とするかの閾値を変更することができる」とされていたものを，本件補正後に「各フォトセンサの受光素子からの信号についてオン信号とするかオフ信号とするかの閾値を変更することで異なる識別情報を取得できるようにする」と補正することは，特許請求の範囲を限定的に減縮するものといえるから，補正事項２は，特許請求の範囲の限定的減縮を目的としたものであるといえる。
（３）補正事項３について
　当初明細書等には，次の記載も認められる。
「【００７８】
第六の実施形態では、図１１に示す第三の実施形態と同様、二つの読み取りセンサが設けられている。二つの読み取りセンサ３２Ａ，３２Ｂは、受け具３３１に当接した状態の無料カード２の左右に位置するよう設けられている。そして、
一方の読み取りセンサ（例えば左側の読み取りセンサ）３２Ａは、下側且つ左側の情報担持部の内側列を読み取る位置に配置されており、他方の読み取りセンサ（例えば右側の読み取りセンサ）３２Ｂは、外側列を読み取る位置に配置されている
　上記記載より，「第一の群のフォトセンサは、一方の辺の外側の列の情報担持部を読み取るものであって、第二の群のフォトセンサは、他方の辺の内側の列の情報担持部を読み取るものである」ことを読み取ることができるから，補正事項３は，当初明細書等に新たな技術的事項を加えるものではない。
　また，本件補正前に「第一の群のフォトセンサは、一方又は他方の辺の外側の列の情報担持部を読み取るものであって、第二の群のフォトセンサは、一方又は他方の辺の内側の列の情報担持部を読み取るものである」との記載を，「第一の群のフォトセンサ」について「一方の辺の外側の列の情報担持部を読み取るもの」とし，「第二の群のフォトセンサ」について「他方の辺の内側の列の情報担持部を読み取るもの」と補正することは，明りょうでない記載の釈明，又は特許請求の範囲の減縮を目的としたものであるといえる。
３　本件補正についてのむすび
　そして，「第４　本願発明」から「第６　対比・判断」までに示すように，補正後の請求項１乃至４に係る発明は，独立特許要件を満たすものである。
　したがって，上記補正事項１乃至３を含む本件補正は，特許法１７条の２第３項から第６項までの要件に違反しているものとはいえない。
第４　本願発明
　本願請求項１乃至４に係る発明（以下「本願発明１」乃至「本願発明４」という。）は，平成３１年４月４日に提出された手続補正書の特許請求の範囲の請求項１乃至４に記載された，次のとおりのものと認める。
「　【請求項１】
　識別情報を担持したカードと、
　当該カードに担持された識別情報を読み取るカード読み取り機とを備えたカードシステムであって、
　カードは、基材と、基材の向かい合う両辺に設けられた情報担持部とから成るものであり、
　基材は透明であって、各情報担持部は、印刷された複数の単位領域から成るパターンであって各単位領域は担持すべき識別情報に応じて光を透過させるか又は遮断する領域であり、
　カード読み取り機は、
　カード挿入口を備えたケーシングと、
　カード挿入口に挿入されたカードを受ける受け具と、
　受け具で受けられたカードの情報担持部を読み取る読み取りセンサと、
　出力制御部と
を備えており、
　読み取りセンサは、受け具で受けられたカードの情報担持部における各単位領域が光軸上となる位置に配置された発光素子と受光素子とから成る複数対のフォトセンサから成るものであり、
　出力制御部は、各受光素子からの信号がデジタル信号として入力される受信回路と、受信したデジタル信号について真正な識別情報であるかどうかを判断する判断回路とを含んでおり、
　カードの両辺に設けられた情報担持部は、両辺に沿った方向のカードの中心線に対して左右対称であり、カードは、左右入れ替えてカード挿入口に挿入した際でも読み取りセンサにより同様の識別情報が読み取られるものであり、
　前記読み取りセンサは、前記受け具に受けられた前記カードの一方の辺に沿って設けられた前記情報担持部を読み取る第一の群のフォトセンサと、他方の辺に沿って設けられた前記情報担持部を読み取る第二の群のフォトセンサとを備えており、
　第一の群の各フォトセンサの光軸は、第二の各フォトセンサの光軸に対して幅ｗだけずれたものとなっており、
　幅ｗは、前記各情報担持部において各単位領域が並ぶ方向の各単位領域の幅に一致していることを特徴とするカードシステム。
　　【請求項２】
　識別情報を担持したカードと、
　当該カードに担持された識別情報を読み取るカード読み取り機とを備えたカードシステムであって、
　カードは、基材と、基材の向かい合う両辺に設けられた情報担持部とから成るものであり、
　基材は透明であって、各情報担持部は、印刷された複数の単位領域から成るパターンであって各単位領域は担持すべき識別情報に応じて光を透過させるか又は遮断する領域であり、
　カード読み取り機は、
　カード挿入口を備えたケーシングと、
　カード挿入口に挿入されたカードを受ける受け具と、
　受け具で受けられたカードの情報担持部を読み取る読み取りセンサと、
　出力制御部と
を備えており、
　読み取りセンサは、受け具で受けられたカードの情報担持部における各単位領域が光軸上となる位置に配置された発光素子と受光素子とから成る複数対のフォトセンサから成るものであり、
　出力制御部は、各受光素子からの信号がデジタル信号として入力される受信回路と、受信したデジタル信号について真正な識別情報であるかどうかを判断する判断回路とを含んでおり、
　カードの両辺に設けられた情報担持部は、両辺に沿った方向のカードの中心線に対して左右対称であり、カードは、左右入れ替えてカード挿入口に挿入した際でも読み取りセンサにより同様の識別情報が読み取られるものであり、
　前記情報担持部における各単位領域は、透明な領域と、黒色の領域と、透明よりも透過率が低く黒色よりも透過率が高い他の色の領域から成るものであり、
　前記出力制御部は、各フォトセンサの受光素子からの信号についてオン信号とするかオフ信号とするかの閾値を変更することで異なる識別情報を取得できるようにするものであることを特徴とするカードシステム。
　　【請求項３】
　識別情報を担持したカードと、
　当該カードに担持された識別情報を読み取るカード読み取り機とを備えたカードシステムであって、
　カードは、基材と、基材の向かい合う両辺に設けられた情報担持部とから成るものであり、
　基材は透明であって、各情報担持部は、印刷された複数の単位領域から成るパターンであって各単位領域は担持すべき識別情報に応じて光を透過させるか又は遮断する領域であり、
　カード読み取り機は、
　カード挿入口を備えたケーシングと、
　カード挿入口に挿入されたカードを受ける受け具と、
　受け具で受けられたカードの情報担持部を読み取る読み取りセンサと、
　出力制御部と
を備えており、
　読み取りセンサは、受け具で受けられたカードの情報担持部における各単位領域が光軸上となる位置に配置された発光素子と受光素子とから成る複数対のフォトセンサから成るものであり、
　出力制御部は、各受光素子からの信号がデジタル信号として入力される受信回路と、受信したデジタル信号について真正な識別情報であるかどうかを判断する判断回路とを含んでおり、
　カードの両辺に設けられた情報担持部は、両辺に沿った方向のカードの中心線に対して左右対称であり、カードは、左右入れ替えてカード挿入口に挿入した際でも読み取りセンサにより同様の識別情報が読み取られるものであり、
　前記情報担持部は、各辺において二列並んで設けられており、一方の辺における外側の列の情報担持部と、他方の辺における外側の列の情報担持部とは同じ第一の識別情報を担持したものであって、一方の辺における内側の列の情報担持部と他方の辺における内側の列の情報担持部は同じ第二の識別情報を担持したものであり、
　前記読み取りセンサは、前記受け具に受けられた前記カードの一方の辺に沿って設けられた前記情報担持部を読み取る第一の群のフォトセンサと、他方の辺に沿って設けられた前記情報担持部を読み取る第二の群のフォトセンサとを備えており、
　第一の群のフォトセンサは、一方の辺の外側の列の情報担持部を読み取るものであって、第二の群のフォトセンサは、他方の辺の内側の列の情報担持部を読み取るものであることを特徴とするカードシステム。
　　【請求項４】
　前記カードの両辺に設けられた情報担持部は、両辺に垂直な方向の中心線に対して線対称であり、カードは、上下を逆にしてカード挿入口に挿入した際でも前記読み取りセンサにより同様の識別情報が読み取られるものであることを特徴とする請求項１乃至３いずれかに記載のカードシステム。」
第５　引用例
１　引用例１に記載された事項
　原査定の拒絶の理由において引用した，本願の原出願（特願２０１５−３６３９）の出願前に既に公知である，特開平１０−３５２４号公報（平成１０年１月６日公開。以下，これを「引用例１」という。）には，関連する図面と共に，次の事項が記載されている。
Ａ　「【００１１】
【発明の実施の形態】以下、図面等を参照して、本発明の一実施形態について説明する。図１は、本発明によるカードの第１の実施形態を示す平面図である。図２は、図１のＡ−Ａ断面を示す断面図である。
図１のカード２０において、カード基材２１は、光が透過可能な透明又は半透明のＰＥＴ等の合成樹脂から形成されている
【００１２】
カード基材２１上の所定の１辺近傍には、シルク印刷等された属性情報記録部２２が設けられている
属性情報記録部２２は、光が透過不能な不透明領域２２ａ
が所定のパターンで配置されることにより形成されている
そして、属性情報記録部２２は、このパターンによりカード２０の属性を示している
【００１３】
図３は、カード２０の属性情報記録部２２の読み取りを説明するための図である
カード２０の読み取り装置内には、光源３１及び受光センサ３２が設けられている。カード２０が読み取り装置に挿入されると、カード２０の属性情報記録部２２は、光源３１と受光センサ３２との間に配置される
【００１４】
そして、光源３１から属性情報記録部２２に光が照射されると、属性情報記録部２２のうち不透明領域２２ａが設けられていない領域に入射した光のみがカード基材２１を透過する
そして、この光が受光センサ３２に入射する
すなわち、属性情報記録部２２の不透明領域２２ａに入射した光は、その領域で反射され、受光センサ３２には入射しない
読み取り装置は、この入射光のパターンによって属性情報記録部２２を認識して、カード２０の属性を特定する
Ｂ　「【００１７】
図５は、入場券としてのカード２０が読み取られるときのゲートを示す図である
ゲート５０には、カード２０の挿入口５１と、ゲート５０の通過を制御する開閉部５２とが設けられている
入場者は、カード２０を挿入口５１から挿入する
ゲート５０内には、図３に示した読み取り装置が設けられており、カード２０の属性情報記録部２２が読み取られる
そして、その読み取り結果からカード２０の真偽や種別が判別され、開閉部５２の動作が制御される
Ｃ　「
図３」
２　引用発明
ア　上記記載事項Ａの「図１のカード２０において、カード基材２１は、光が透過可能な透明又は半透明のＰＥＴ等の合成樹脂から形成されている。」との記載から，引用例１には，“光が透過可能な透明又は半透明のＰＥＴ等の合成樹脂から形成されるカード基材２１”が記載されているといえる。
　同じく上記記載事項Ａの「カード基材２１上の所定の１辺近傍には、シルク印刷等された属性情報記録部２２が設けられている。属性情報記録部２２は、光が透過不能な不透明領域２２ａ（図中、斜線部領域）が所定のパターンで配置されることにより形成されている。そして、属性情報記録部２２は、このパターンによりカード２０の属性を示している。」との記載から，引用例１には，“カード基材２１上の所定の１辺近傍には，シルク印刷等された属性情報記録部２２が設けられ，属性情報記録部２２は，光が透過不能な不透明領域２２ａが所定のパターンで配置されることにより形成され，属性情報記録部２２は，このパターンによりカード２０の属性を示して”いることが記載されているといえる。
　同じく上記記載事項Ａの「図３は、カード２０の属性情報記録部２２の読み取りを説明するための図である。カード２０の読み取り装置内には、光源３１及び受光センサ３２が設けられている。カード２０が読み取り装置に挿入されると、カード２０の属性情報記録部２２は、光源３１と受光センサ３２との間に配置される」との記載，及び上記Ｃの図３から，光源３１と受光センサ３２は，複数対からなることが読み取れることから，引用例１には，“カード２０の読み取り装置内には，複数対の光源３１及び受光センサ３２が設けられ，カード２０が読み取り装置に挿入されると，カード２０の属性情報記録部２２は，複数対の光源３１と受光センサ３２との間に配置され”ることが記載されているといえる。
　同じく上記記載事項Ａの「光源３１から属性情報記録部２２に光が照射されると、属性情報記録部２２のうち不透明領域２２ａが設けられていない領域に入射した光のみがカード基材２１を透過する。そして、この光が受光センサ３２に入射する。すなわち、属性情報記録部２２の不透明領域２２ａに入射した光は、その領域で反射され、受光センサ３２には入射しない。読み取り装置は、この入射光のパターンによって属性情報記録部２２を認識して、カード２０の属性を特定する」との記載から，引用例１には，“光源３１から属性情報記録部２２に光が照射されると，属性情報記録部２２のうち不透明領域２２ａが設けられていない領域に入射した光のみがカード基材２１を透過し，この光が受光センサ３２に入射し，属性情報記録部２２の不透明領域２２ａに入射した光は，その領域で反射され，受光センサ３２には入射せず，読み取り装置は，この入射光のパターンによって属性情報記録部２２を認識して，カード２０の属性を特定”することが記載されているといえる。
イ　上記記載事項Ｂの「図５は、入場券としてのカード２０が読み取られるときのゲートを示す図である。ゲート５０には、カード２０の挿入口５１と、ゲート５０の通過を制御する開閉部５２とが設けられている。入場者は、カード２０を挿入口５１から挿入する。ゲート５０内には、図３に示した読み取り装置が設けられており、カード２０の属性情報記録部２２が読み取られる。そして、その読み取り結果からカード２０の真偽や種別が判別され、開閉部５２の動作が制御される。」との記載から，引用例１には，“入場券としてのカード２０が読み取られるときのゲート５０には，カード２０の挿入口５１と，ゲート５０の通過を制御する開閉部５２とが設けられ，カード２０を挿入口５１から挿入されると，ゲート５０内に設けられた読み取り装置によって，カード２０の属性情報記録部２２が読み取られ，その読み取り結果からカード２０の真偽や種別が判別され，開閉部５２の動作が制御される”ことを読み取ることができる。
ウ　上記ア及びイに示される事項より，引用例１は「カード２０」及び「読み取り装置」からなる，カード読み取りの仕組みを開示しているといえ，これらは，“カードシステム”といい得るから，引用例１には，次の発明（以下「引用発明」という。）が記載されているといえる。
「光が透過可能な透明又は半透明のＰＥＴ等の合成樹脂から形成されるカード基材２１と，
　カード基材２１上の所定の１辺近傍には，シルク印刷等された属性情報記録部２２が設けられ，属性情報記録部２２は，光が透過不能な不透明領域２２ａが所定のパターンで配置されることにより形成され，属性情報記録部２２は，このパターンによりカード２０の属性を示しており，
　カード２０の読み取り装置内には，複数対の光源３１及び受光センサ３２が設けられ，カード２０が読み取り装置に挿入されると，カード２０の属性情報記録部２２は，複数対の光源３１と受光センサ３２との間に配置され，
　光源３１から属性情報記録部２２に光が照射されると，属性情報記録部２２のうち不透明領域２２ａが設けられていない領域に入射した光のみがカード基材２１を透過し，この光が受光センサ３２に入射し，属性情報記録部２２の不透明領域２２ａに入射した光は，その領域で反射され，受光センサ３２には入射せず，読み取り装置は，この入射光のパターンによって属性情報記録部２２を認識して，カード２０の属性を特定し，
　入場券としてのカード２０が読み取られるときのゲート５０には，カード２０の挿入口５１と，ゲート５０の通過を制御する開閉部５２とが設けられ，カード２０を挿入口５１から挿入されると，ゲート５０内に設けられた読み取り装置によって，カード２０の属性情報記録部２２が読み取られ，その読み取り結果からカード２０の真偽や種別が判別され，開閉部５２の動作が制御されるカードシステム。」
３　引用例２に記載された事項
　原査定の拒絶の理由において引用した，本願の原出願（特願２０１５−３６３９）の出願前に既に公知である，特開平５−１１６４９０号公報（平成５年５月１４日公開。以下，これを「引用例２」という。）には，関連する図面と共に，次の事項が記載されている。
Ｄ　「【０００７】
【課題を解決するための手段】本発明による
バーコード付カードは、表裏面の双方又は一方の面に、バーコードが形成されたバーコード付カードであって、同一の面であって、読み取り方向の中心線に対して線対称又は点対称の位置に、読み取り方向が逆方向となる同一内容の２つのバーコードを備えた
Ｅ　「【００１８】
このようにすれば、カード挿入方向のみならず、表裏を間違えても、コードを正しく読み取ることができる
４　引用例３に記載された事項
　原査定の拒絶の理由において引用した，本願の原出願（特願２０１５−３６３９）の出願前に既に公知である，特開平９−８１７１１号公報（平成９年３月２８日公開。以下，これを「引用例３」という。）には，関連する図面と共に，次の事項が記載されている。
Ｆ　「【００１７】即ち、本発明の情報記録媒体によれば、
マーカとドットと記録媒体が互いに異なる所定の反射率もしくは透過率を有するように記録しているので、記録されたコードを光学的に読み取る際に、マーカとドットと記録媒体をそれぞれの反射光量もしくは透過光量に基づいて分離することが簡単になり
Ｇ　「【００２７】図１の（Ａ）は、第１の実施の形態におけるドットコード１００のフォーマットを示す図で、本実施の形態では、
マーカ１４と、パターンドット８０，アドレスドット８２，及びデータドット８４と、記録媒体とを、互いに異なる所定の反射率もしくは透過率を有するように記録する
５　引用例４に記載された事項
　原査定の拒絶の理由において引用した，本願の原出願（特願２０１５−３６３９）の出願前に既に公知である，特開２００７−７９７９２号公報（平成１９年３月２９日公開。以下，これを「引用例４」という。）には，関連する図面と共に，次の事項が記載されている。
Ｈ　「【００１１】
　図１及び図２に、本発明に使用される仕切りカードとして、上記
銀行券処理装置用のヘッダカードの一例
【００１２】
　図示するように、
この長方形のヘッダカード４０１は、その両主面に、その中央の領域に紙葉類を識別するための情報を記録したバーコード４０４が印刷されており、その上下には、バーコードの表す数字４０５が、正位置及び逆位置に印字されている
【００１３】
　例えば
ブロックパターン４０２，４０８は、図示するように、１列が４ブロックで構成され、合計２列で券コードを表している
第６　対比・判断
１　本願発明１について
（１）対比
　本願発明１と引用発明とを対比する。
（あ）引用発明の「カード２０」は，本願発明１の「カード」に相当し，以下同様に，引用発明の「カード基材２１」及び「読み取り装置」はそれぞれ本願発明１の「基材」及び「カード読み取り機」に相当する。
　引用発明の「属性情報記録部２２」は，「光が透過不能な不透明領域２２ａが所定のパターンで配置されることにより形成」されていることから，本願発明の「印刷された複数の単位領域から成るパターンであって各単位領域は担持すべき識別情報に応じて光を透過させるか又は遮断する領域」を有する「情報担持部」と，下記の点で相違するものの，“印刷されたパターンであって担持すべき識別情報に応じて光を透過させるか又は遮断する領域を有”する点で一致する。
　引用発明の「カードシステム」は，「カード２０の読み取り装置内には，複数対の光源３１及び受光センサ３２が設けられ，カード２０が読み取り装置に挿入されると，カード２０の属性情報記録部２２は，複数対の光源３１と受光センサ３２との間に配置され，
　光源３１から属性情報記録部２２に光が照射されると，属性情報記録部２２のうち不透明領域２２ａが設けられていない領域に入射した光のみがカード基材２１を透過し，この光が受光センサ３２に入射し，属性情報記録部２２の不透明領域２２ａに入射した光は，その領域で反射され，受光センサ３２には入射せず，読み取り装置は，この入射光のパターンによって属性情報記録部２２を認識して，カード２０の属性を特定」するものであるから，当該「カード２０」は識別情報を担持していて「読み取り装置」が当該識別情報を読取っているから，引用発明と本願発明１とは，
“識別情報を担持したカードと，
　当該カードに担持された識別情報を読み取るカード読み取り機とを備えたカードシステム”の点で一致し，さらに“カードは，基材と，情報担持部とから成る”点でも一致する。
（い）引用発明の「カード基材２１」は，「光が透過可能な透明又は半透明のＰＥＴ等の合成樹脂から形成」されるものであり，また「カード基材２１上の所定の１辺近傍」には，「シルク印刷等された属性情報記録部２２が設けられ，属性情報記録部２２は，光が透過不能な不透明領域２２ａが所定のパターンで配置されることにより形成され」ていることから，上記（あ）の認定も踏まえ，引用発明と本願発明１とは，“基材は透明であって，情報担持部は，印刷されたパターンであって担持すべき識別情報に応じて光を透過させるか又は遮断する領域”を有する点で一致する。
（う）引用発明の「読み取り装置」は，「カード２０が読み取り装置に挿入され」るとともに，「カード２０」が「入場券として」用いられて，当該「カード２０」が「読み取られるときのゲート５０」に，「カード２０の挿入口５１」が設けられ，「ゲート５０内に設けられた読み取り装置によって，カード２０の属性情報記録部２２が読み取られ」ることから，当該「カード２０」を受け入れる，本願発明１の「カード挿入口を備えたケーシング」や「カード挿入口に挿入されたカードを受ける受け具」に相当する構成を引用発明の「読み取り装置」が有することは明らかである。
　そして，引用発明の「カード２０の読み取り装置内」に設けられる「複数対の光源３１及び受光センサ３２」は，「カード２０が読み取り装置に挿入され」て，当該「カード２０の属性情報記録部」が当該「複数対の光源３１と受光センサ３２との間に配置され」て，「光源３１から属性情報記録部２２に光が照射され」，「属性情報記録部２２のうち不透明領域２２ａが設けられていない領域に入射した光のみがカード基材２１を透過し，この光が受光センサ３２に入射し，属性情報記録部２２の不透明領域２２ａに入射した光は，その領域で反射され，受光センサ３２には入射」しないことにより，「読み取り装置」が「この入射光のパターンによって属性情報記録部２２を認識して，カード２０の属性を特定」していることから，引用発明は，本願発明１の「受け具で受けられたカードの情報担持部を読み取る読み取りセンサ」に相当する構成を有しているといえる。また，引用発明は「ゲート５０内に設けられた読み取り装置によって，カード２０の属性情報記録部２２が読み取られ，その読み取り結果からカード２０の真偽や種別が判別され，開閉部５２の動作が制御される」ことから，当該「開閉部５２の動作」を「制御」する制御部が存在することは明らかであるから，上記（あ）の認定も踏まえ，本願発明１の「カード読み取り機」と引用発明の「読み取り装置」とは，
“カード読み取り機は，
　カード挿入口を備えたケーシングと，
　カード挿入口に挿入されたカードを受ける受け具と，
　受け具で受けられたカードの情報担持部を読み取る読み取りセンサと，
　出力制御部と
を備えて”いる点で一致する。
（え）引用発明の「光源３１」は本願発明１の「発光素子」に相当し，引用発明の「受光センサ３２」は本願発明１の「受光素子」に相当し，引用発明の「複数対の光源３１及び受光センサ３２」は，本願発明１の「発光素子と受光素子とから成る複数対のフォトセンサ」と共通するものであるから，上記（う）の認定も踏まえれば，引用発明と本願発明１とは，“読み取りセンサは，受け具で受けられたカードの情報担持部が光軸上となる位置に配置された発光素子と受光素子とから成る複数対のフォトセンサから成るもの”である点で一致する。
（お）引用発明は，「入場券としてのカード２０が読み取られるときのゲート５０には，カード２０の挿入口５１と，ゲート５０の通過を制御する開閉部５２とが設けられ，カード２０を挿入口５１から挿入されると，ゲート５０内に設けられた読み取り装置によって，カード２０の属性情報記録部２２が読み取られ，その読み取り結果からカード２０の真偽や種別が判別され，開閉部５２の動作が制御される」ものであり，当該「開閉部５２の動作」の「制御」は，「カード２０を挿入口５１から挿入」し，「ゲート５０内に設けられた読み取り装置によって，カード２０の属性情報記録部２２が読み取られ，その読み取り結果からカード２０の真偽や種別が判別され」た結果として行われるものである。また，「読み取り装置」に設けられる「複数対の光源３１及び受光センサ３２」によって得られる情報はデジタル信号であることは明らかであるから，本願発明１の「各受光素子からの信号がデジタル信号として入力される受信回路」と「受信したデジタル信号について真正な識別情報であるかどうかを判断する判断回路」に相当する構成を引用発明は有しているといえ，以上総合して，引用発明と本願発明１とは，“出力制御部は，各受光素子からの信号がデジタル信号として入力される受信回路と，受信したデジタル信号について真正な識別情報であるかどうかを判断する判断回路とを含んでいる”点で一致する。
（か）以上，（あ）乃至（お）の検討から，引用発明と本願発明１とは，次の一致点及び相違点を有する。
〈一致点〉
　識別情報を担持したカードと，
　当該カードに担持された識別情報を読み取るカード読み取り機とを備えたカードシステムであって，
　カードは，基材と，情報担持部とから成るものであり，
　基材は透明であって，情報担持部は，印刷されたパターンであって担持すべき識別情報に応じて光を透過させるか又は遮断する領域を有し，
　カード読み取り機は，
　カード挿入口を備えたケーシングと，
　カード挿入口に挿入されたカードを受ける受け具と，
　受け具で受けられたカードの情報担持部を読み取る読み取りセンサと，
　出力制御部と
を備えており，
　読み取りセンサは，受け具で受けられたカードの情報担持部が光軸上となる位置に配置された発光素子と受光素子とから成る複数対のフォトセンサから成るものであり，
　出力制御部は，各受光素子からの信号がデジタル信号として入力される受信回路と，受信したデジタル信号について真正な識別情報であるかどうかを判断する判断回路とを含んでいるカードシステム。
〈相違点１〉
　本願発明１の「情報担持部」は，「複数の単位領域」から成るとともに，「基材の向かい合う両辺に設けられ」るものであり，かつ，「各情報担持部」は，「印刷された複数の単位領域から成るパターンであって各単位領域は担持すべき識別情報に応じて光を透過させるか又は遮断する領域」であり，また，「カードの両辺に設けられた情報担持部は、両辺に沿った方向のカードの中心線に対して左右対称であり、カードは、左右入れ替えてカード挿入口に挿入した際でも読み取りセンサにより同様の識別情報が読み取られるもの」であるのに対し，引用発明の「属性情報記録部２２」は，「カード基材２１上の所定の１辺近傍に」設けられ，「シルク印刷等され」て「光が透過不能な不透明領域２２ａが所定のパターンで配置されることにより形成され」，「複数対の光源３１と受光センサ３２との間に配置され」，「光源３１」から「光が照射されると，属性情報記録部２２のうち不透明領域２２ａが設けられていない領域に入射した光のみがカード基材２１を透過し，この光が受光センサ３２に入射し，属性情報記録部２２の不透明領域２２ａに入射した光は，その領域で反射され，受光センサ３２には入射せず」，「この入射光のパターンによって」「読み取り装置」が「属性情報記録部２２を認識して，カード２０の属性を特定」するものではあるが，「カード２０」を左右入れ替えてカード挿入口に挿入することは想定されていない点。
〈相違点２〉
　本願発明１が，「前記読み取りセンサは、前記受け具に受けられた前記カードの一方の辺に沿って設けられた前記情報担持部を読み取る第一の群のフォトセンサと、他方の辺に沿って設けられた前記情報担持部を読み取る第二の群のフォトセンサとを備えており、
　第一の群の各フォトセンサの光軸は、第二の各フォトセンサの光軸に対して幅ｗだけずれたものとなっており、
　幅ｗは、前記各情報担持部において各単位領域が並ぶ方向の各単位領域の幅に一致している」のに対し，引用発明は，そのような構成を有さない点。
（２）相違点についての判断
　事案に鑑み，先に相違点１について検討する。
　本願発明１は，各種プロモーションのための無料カードのようなカードの読み取り技術に関し（本願明細書段落０００１），各種物販，サービス等の商業施設において，売り上げを伸ばすにはまず顧客に来店してもらうことが必要であるため，これら商業施設においては，ティッシュ配り，クーポン券の配布，来店ポイントの付与と次回来店時のポイント還元といった各種のプロモーション（来場促進）活動が従来行われていたことを背景とし（同０００２），上述した各種のプロモーションも一定の成果を挙げているが，盛んに行われ過ぎていて，飽きられている感も否めず，また，多くのプロモーションは，相当のコストがかかるため，費用対効果の観点で問題となり得（同０００４），ポイント還元のようなプロモーションは，ポイントカードの発行，ポイントの読み取り，管理等のためにコストがかかり，またポイントサービスに対応したＰＯＳシステムが必要になるため，さらに多くのコストがかかるため，チェーン展開している大手商業施設で採用されているものの，中小の施設やチェーン展開していない施設では採用が難しいことを解決しようとする課題とし（同０００５），透明な基材に各単位領域から成るパターンを印刷するだけで，リーダーとして複数対のフォトセンサから成るものが採用されるので，コストとしては非常に安価なものになり，また，無料カードの向きを左右に変えても同じように読み取りができるので，使用が簡単であるという格別な効果を奏するものである（同０００７）。
　一方引用発明は，カード基材に所定のパターンを機械読み取り可能に設けたカードに関し（引用例１の段落０００１），従来，カード基材の１辺近傍に属性情報記録部が設けられ，属性情報記録部は，カード基材の所定位置に複数の穴を形成したものであり，この穴は，例えばパンチによって抜くことによりカード基材に形成され，この穴の位置及び数により，そのカードの属性を表すため，属性情報記録部の穴の位置や数は，全てのカードで同一ではなく，カードの種類ごとに異なるので，カード基材の形成と同時に属性情報記録部を形成することはできず，カード基材の形成後にカードの種類に合わせて穴を開ける方法が採られており（同０００３），カードの読み取り装置内に，光源及び受光センサが設けられ，カードが読み取り装置に挿入され，入射光のパターンによって属性情報記録部が認識されて，カードの属性を特定するものであるが（同０００４），属性情報記録部を設けるために，カード基材に穴を開けるが，穴を開けた後のカード基材の小片がゴミとなり，それを回収する必要があり，また，製造上，穴開け工程が必要となり，カードのコストが高くなるという問題があり，さらに，穴の位置精度を確保することが困難であり（同０００５），穴を開けたときにその外縁部に切りくずが分離しないで残る場合があり，これが読み取り装置内に混入するおそれがあったことを背景として，カードのコストを高くすることなく，情報記録部の精度の向上を図り，カードの品質を高めることを解決しようとする課題とするもの（同０００６）である。
　そうすると，単に従来穴で構成された属性情報記録部を「不透明領域２２ａ」とするに過ぎない引用発明には，「カードの両辺」に当該「両辺に沿った方向のカードの中心線に対して左右対称であ」る「情報担持部」を設け，カードを「左右入れ替えてカード挿入口に挿入した際でも読み取りセンサにより同様の識別情報が読み取られ」るようにする動機付けを見いだすことはできず，このことは，その他上記引用例２乃至４にも記載されていない。
　したがって，引用発明からは，当業者といえども相違点１に係る構成を導き出すことは容易とはいえず，また，相違点１に係る構成は，本願の原出願（特願２０１５−３６３９号）の出願前に周知な構成ともいえない。
　したがって，上記その余の相違点について判断するまでもなく，本願発明１は，当業者であっても，引用発明，引用例２乃至４に記載された技術的事項に基づいて容易に発明できたものとはいえない。
２　本願発明２，３について
　本願発明２，３も，本願発明１の「カードの両辺に設けられた情報担持部は、両辺に沿った方向のカードの中心線に対して左右対称であり、カードは、左右入れ替えてカード挿入口に挿入した際でも読み取りセンサにより同様の識別情報が読み取られるもの」と同一の構成を備えるものであるから，本願発明１と同じ理由により，当業者であっても，引用発明及び引用例２乃至４に記載された技術的事項に基づいて容易に発明できたものとはいえない。
３　本願発明４について
　本願発明４は，本願発明１乃至３のいずれかを引用するものであり，本願発明１乃至３と同じ理由により，当業者であっても，引用発明及び引用例２乃至４に記載された技術的事項に基づいて容易に発明できたものとはいえない。
第７　原査定について
＜特許法２９条２項について＞
　審判請求時の補正により，本願発明１乃至４は上記第４に示したとおりのものとなっており，当業者であっても，拒絶査定において引用された引用文献１乃至４（上記第５の引用例１乃至４）に基づいて，容易に発明できたものとはいえない。したがって，原査定の理由を維持することはできない。
第８　むすび
　以上のとおり，原査定の理由によっては，本願を拒絶することはできない。
　また，他に本願を拒絶すべき理由を発見しない。
　よって，結論のとおり審決する。